(57)【要約】【課題】ターボ機械に流入する空気流の調節システムを提供する。【解決手段】本発明の実施形態は、限定ではないが、ガスタービンなどの空気消費機械に流入する空気流を調節するための空気調節システム（ＡＣＳ）（２００）を提供する。調節は、空気流の少なくとも１つの物理的性質を調整するプロセスとみなすことができる。物理的性質は、湿球温度、乾球温度、相対湿度、密度、又は同様のものを含むことができる。本発明の一実施形態において、ＡＣＳ（２００）の主要な構成要素は、モジュール（２０５）とみなすことができる単一構造で配置することができる。ＡＣＳ（２００）の用途に応じて、複数のモジュール（２０５）を物理的に及び／又は作動的に空気消費機械に一体化することができる。ＡＣＳ（２００）の代替の実施形態は、複数の段を有するモジュール（２０５）を含むことができる。ここで各段は、他の段を独立して作動させることができる。更に、各段は他の段とは別個の流体を用いることができる。【選択図】      図２
2011038523.tif 000002
【特許請求の範囲】
【請求項１】
空気消費機械に流入する空気流を調節するためのシステムであって、
空気消費機械に流入する空気流の物理的性質を調整するよう構成され、モジュール（２０５）を含む空気調節システム（ＡＣＳ）（２００）
を備えており、前記モジュール（２０５）が、
ある範囲内に周囲条件がある場合に空気流の物理的性質を調整するよう構成され、前記空気流上に流体を噴霧するよう適合されたノズル（２３５）を含む非媒体調節システム（２３０）と、
前記空気流の物理的性質を調整して前記空気消費機械の付加的な出力を提供するよう構成された直接交換媒体（２２０）と
を含んでおり、
前記ＡＣＳ（２００）に供給される流体が露点温度よりもほぼ高い場合には、前記ＡＣＳ（２００）が直接蒸発モードで動作し、前記ＡＣＳ（２００）に供給される流体が露点温度よりもほぼ低い場合には、前記ＡＣＳ（２００）が直接チルモードで動作する、システム。
【請求項２】
前記空気調節システム（２００）のモジュール（２０５）が、前記空気消費機械の吸気システム（１００）内に配置され、該吸気システム（１００）が、
気象フード（１０５）、入口フィルタハウス（１１０）、トランジションピース（１２０）、入口ダクト（１２５）、及び入口ブリード熱セクション（１３５）のうちの少なくとも１つを含む、請求項１記載のシステム。
【請求項３】
前記モジュール（２０５）内の構成部品の構成は、
入口フィルタハウス（１１０）の下流側に位置付けられた非媒体調節システム（２３０）と、
前記非媒体調節システム（２３０）の下流側に位置付けられた直接交換媒体（２２０）と、
前記直接交換媒体（２２０）の下流側に位置付けられたミスト分離器と
を備える、請求項２記載のシステム。
【請求項４】
第１の調節回路（２５５）が、
前記流体を前記ノズル（２３５）に分散させるよう構成された非チル供給源（２４０）、直接交換媒体（２２０）と、前記分散流体の一部を収集するタンク（２５０）と
を含む、請求項１記載のシステム。
【請求項５】
第２の調節回路（２８０）が、
前記流体を供給源からノズル（２３５）に送給するよう構成されたチル流体供給源（２６５）と、前記ノズル（２３５）により分散された流体の一部を送給するための流体リターン（２４５）と
を含む、請求項１記載のシステム。
【請求項６】
前記モジュール（２０５）が複数のゾーンを含む、請求項１記載のシステム。
【請求項７】
前記空気流を調整するよう構成された第１のゾーンを更に備える、請求項６記載のシステム。
【請求項８】
第１のゾーンにより利用される流体が、水、液体乾燥剤、又はこれらの組み合わせの内の少なくとも１つを含む、請求項７記載のシステム。
【請求項９】
前記空気流を調整するよう構成された第２のゾーンを更に備える、請求項６記載のシステム。
【請求項１０】
第２のゾーンにより利用される流体が、水、液体乾燥剤、又はこれらの組み合わせの内の少なくとも１つを含む、請求項９記載のシステム。
【発明の詳細な説明】
【技術分野】
【０００１】
本発明は、全体的に空気消費機械に流入する空気流に関し、より詳細には、空気消費機械の吸気システムに流入する空気流を調節するためのシステムに関する。
【背景技術】
【０００２】
空気消費機械は、様々な用途で使用されるエネルギーを生成及び／又は変換する。これらの機械は、熱交換器、限定ではないが、ガスタービン、航空機エンジン、航空転用エンジンなどの空気消費ターボ機械、或いは同様のものの形態を有することができる。以下の考察では主にガスタービンに焦点を当てているが、この考察の概念はガスタービンに限定されるものではない。
【０００３】
ガスタービンは通常、吸気システム、圧縮機セクション、燃焼器セクション、タービンセクション、及び排気セクションを含む。ガスタービンは以下のように作動することができる。吸気システムは、ガスタービンの周囲環境から空気流を受け取る。圧縮機セクションは、空気流を加圧する。加圧された空気流は、燃焼セクションに流れ、ここで燃料混合を行った後、燃焼することができる。燃焼プロセスは、ガス混合気を発生し、これがタービンセクションを駆動する。タービンセクションは、ガス混合気のエネルギーをトルクの形態で機械エネルギーに変換する。トルクは、通常、発電機、機械式駆動装置、又は同様のものを駆動するのに用いられる。
【０００４】
ガスタービン性能は、一般的には、出力、熱効率、及び／又は熱消費率によって決まる。流入する空気流の温度及び湿度は、ガスタービン性能に有意な影響を及ぼす可能性がある。一般に、ガスタービンは、空気流の温度が低下するにつれて効率が低くなる。
【０００５】
空気流の温度を低下させるために、種々のシステムが利用されてきた。これらのシステムの主な目的は、より高い空気流の温度及び／又は湿度を有する周囲条件においてガスタービン性能を向上させることである。これらのシステムは、圧縮機セクションに流入する前に空気流を調節することによってこの目標を達成しようとしている。この調節は、空気流の少なくとも１つの物理的性質の調整プロセスと考えられる。物理的性質は、限定ではないが、湿球温度、乾球温度、湿度、及び密度を含むことができる。空気流の物理的性質の調整作用は、ガスタービンの性能を向上させるものである。
【０００６】
これらのシステムの幾つかの公知の実施例には、蒸発冷却器、機械的チラー、吸収式チラー、熱エネルギーシステム、及び同様のものを含む。これらのシステムは、ガスタービンの周りの様々な場所に設置することができる。
【０００７】
ガスタービンに流入する空気流を調節する公知のシステムに関して幾つかの懸念点がある。公知のシステムに関連する利点は、設置に伴うコストが安価であることを説明していない。蒸発冷却システムの使用は、高温多湿な条件が顕著な区域に限定される場合がある。公知のチルシステムは、チルシステムに有意なコストが付加されるコイルを必要とする。一部の公知のガスタービン発電プラントは、蒸発冷却システム及びチルシステムの両方を組み込んでいる。この場合、これらのシステムの構造が別個であることにより、設置時間及びガスタービン近傍のスペースを付加することが必要となり、維持管理コストも更に増大する。
【０００８】
前述の理由から、空気流を調節するための新規の改善されたシステムに対する要求が存在することができる。システムは、高温多湿区域での作動性をより向上させることができると同時に、高温乾燥区域での作動効率も向上させる必要がある。本システムは、蒸発冷却及びチル性能の両方を提供できる単一構造を備える必要がある。本システムはまた、コイルを必要としないチルシステムを提供する必要がある。
【発明の概要】
【０００９】
本発明の一実施形態において、空気消費機械に流入する空気流を調節するためのシステムであって、該システムが、空気消費機械に流入する空気流の物理的性質を調整するよう構成され、モジュール（２０５）を含む空気調節システム（ＡＣＳ）（２００）を備え、モジュール（２０５）は、ある範囲内に周囲条件がある場合に空気流の物理的性質を調整するよう構成され、空気流上に流体を噴霧するよう適合されたノズル（２３５）を含む非媒体調節システム（２３０）と、空気流の物理的性質を調整して前記空気消費機械の付加的な出力を提供するよう構成された直接交換媒体（２２０）と、を含み、ＡＣＳ（２００）に供給される流体が露点温度よりもほぼ高い場合には、ＡＣＳ（２００）が直接蒸発モードで動作し、ＡＣＳ（２００）に供給される流体が露点温度よりもほぼ低い場合には、ＡＣＳ（２００）が直接チルモードで動作する。
【図面の簡単な説明】
【００１０】
【図１】本発明の実施形態が動作することができる環境を示す概略図。
【図２】本発明の一実施形態による、空気調節システムのモジュールの立面図を示す概略図。
【図３】本発明の一実施形態による、空気調節システムの概略図。
【図４】本発明の一実施形態による、図２のモジュール２０５の代替の実施形態の立面図を示す概略図。
【発明を実施するための形態】
【００１１】
本発明のこれら及び他の特徴、態様、並びに利点は、図面全体を通じて同様の参照符号が同様の要素を示す添付図面を参照しながら以下の詳細な説明を読むと更に理解できるであろう。
【００１２】
好ましい実施形態の以下の詳細な説明は、本発明の特定の実施形態を示す添付図面を参照する。異なる構造及び動作を有する他の実施形態も本発明の技術的範囲から逸脱するものではない。
【００１３】
本明細書では便宜上特定の専門用語を用いる場合があるが、これは、本発明を限定するものと解釈すべきではない。例えば、「上側」、「下側」、「左側」、「前側」、「右側」、「水平方向」、「垂直方向」、「上流側」、「下流側」、「前方」、「後方」、「頂部」、「底部」などの用語は、図示の配置を単に説明しているに過ぎない。実際に、構成要素はあらゆる方向に配向することができ、従って、本用語は、特に明記しない限り、種々の変形形態を含むものとして理解されたい。
【００１４】
本明細書で使用する場合に、前に数詞のない要素又はステップの表現は、そうではないことを明確に述べていない限り複数のそのような要素又はステップの存在を排除するものではないと理解されたい。更に、本発明の「一実施形態」という表現は、記載した特徴を同様に組入れた付加的な実施形態の存在を排除するものとして解釈されることを意図するものではない。
【００１５】
本発明の実施形態は、限定ではないが、ガスタービンなどの空気消費機械に流入する空気流を調節する空気調節システム（ＡＣＳ）を提供する。上述のように、調節は、空気流の少なくとも１つの物理的性質を調整するプロセスとみなすことができる。物理的性質は、湿球温度、乾球温度、相対湿度、密度、又は同様のものを含むことができる。本発明の一実施形態において、ＡＣＳの主要な構成要素は、モジュールとみなすことができる単一構造で配置することができる。ＡＣＳの用途に応じて、複数のモジュールを物理的に及び／又は作動的に空気消費機械に一体化することができる。以下の考察は、ガスタービンと一体化されたＡＣＳの限定的な実施形態に焦点を当てている。
【００１６】
本発明の実施形態は、非媒体調節システム及び媒体調節システムを備えたＡＣＳを提供することができ、これらの各々が図２及び３に例証される。ＡＣＳの一実施形態は、蒸発システムモード又はチルシステムモードの何れかで動作する融通性を提供することができる。非媒体調節システム及び媒体調節システムに供給される流体が、露点温度よりも高い場合、ＡＣＳは蒸発システムとして機能することができる。同様に、非媒体調節システム及び媒体調節システムに供給される流体が、露点温度よりも低い場合、ＡＣＳは、チルシステムとして機能することができる。
【００１７】
ここで複数の図を通して種々の数字が同じ要素を示している各図を参照すると、図１は、本発明の実施形態が動作することができる環境を示す概略図である。図１は、通常はガスタービンの圧縮機１４５と一体化することができる吸気システム１００を示している。以下の説明は、吸気システム１００の典型的な構成の要約を提供している。本発明は、図に示していない吸気システム１００の他の構成と共に用いることもできる。
【００１８】
吸気システム１００は、各図を通して矢印で示された空気流を送り、圧縮機１４５により引き込まれる。空気流は通常、ガスタービンが動作する環境から流入する。最初に、空気流は、気象フード１０５の周りに流れ、雨、雪、あられ、又は同様のものなどの気象要素が圧縮機１４５に流入するのを防ぐことができる。次に、空気流は、入口フィルタハウス１１０を通って流れることができ、一般に、空気流から異物及び塵を除去する。次に、空気流は、ＡＣＳ２００を通って流れ、空気流の物理的性質を調節することができる。次に、空気流は、トランジションピース１２０及び入口ダクト１２５を通って流れることができ、これらの構成部品は、空気流の速度及び圧力を調整することができる。次に、空気流は、消音セクション１３０を通って流れることができる。次に、空気流は、入口ブリード熱システム１３５を通って流れることができ、使用されると、圧縮機１４５に流入する前の空気流の温度が上昇する。トラッシュスクリーン１４０又は同様のものは、入口ダクト１２５の下流側に配置することができ、一般に、塵が圧縮機１４５に流入するのを防ぐことができる。
【００１９】
図２は、本発明の実施形態による、空気調節システム２００のモジュール２０５の立面図を示す概略図である。図２は、本発明の実施形態がモジュール２０５を有する空気調節システム２００の主要構成部品を有することを示している。図２はまた、本発明の実施形態が複数のモジュール２０５を統合することができる方法を示しており、これらの全ては吸気システム１００内に収容することができる。３つの同様のモジュール２０５がスタック配置で図２に示されている。読者の理解を容易にするために、冗長な構成部品／要素の符号の使用を制限している。例えば、限定ではないが、ミスト分離器を表す構成部品／要素の符号は、下部モジュール２０５上にのみ示している。２つの上側のモジュール２０５もまた、図２に示すようにミスト分離器２２５を有する。
【００２０】
本発明の一実施形態において、ＡＣＳ２００の主要構成部品は、モジュール２０５内に配置することができる。これらは、非媒体調節システム２３０、媒体調節システム２６０、及びミスト分離器２２５の構成部品を含むことができる。
【００２１】
作動上、モジュール２０５は、限定ではないが、水、クーラント、又はこれらの組み合わせなどの流体をヘッダー２７５から受け取ることができる。ヘッダー２７５は、ＡＣＳ２００の動作モードに応じて、非チル流体供給源２４０か、又はチル流体供給源２６５から流体を受け取ることができる。次に、図２及び３に示すように、ヘッダー２７５は、流体を第３のバルブ３００及び／又はモジュール２０５に直接吐出することができる。
【００２２】
非媒体調節システム２３０の一実施形態は、噴射ノズル２３５（図２に概略的に示す）を提供することができる。噴射ノズル２３５は、媒体調節システム２６０と連結する前に、空気流を予調節する役割を果たすことができる。予調節は、直接交換媒体２２０から出る空気流のほぼ均一な温度分布を得るよう試みる。噴射ノズル２３５は、空気流が吸気口から圧縮機１４５に流入する前に実質的に蒸発できるサイズの流体液滴を生成することができる。本発明の一実施形態において、噴射ノズル２３５は、約０．１インチ〜約０．２５インチのノズルサイズを有することができる。ここで、流体システム圧力は、約１５０ポンド／平方インチ未満を含むことができる。
【００２３】
媒体調節システム２６０の構成部品は、直接交換媒体２２０及びチル流体供給源２６５を含むことができる。直接交換媒体２２０は一般に、限定ではないが、空気流の乾球温度などの物理的性質を調整するために流体を利用する熱交換器として機能する。本質的に、直接交換媒体２２０の一実施形態は、流体を流れている空気流に直接接触させることを可能にする。流体がより低温であるほど、乾球温度を低下させ、及び／又は空気流の別の物理的性質を調整することができる。
【００２４】
直接交換媒体２２０の一実施形態は、媒体式熱交換器の形態を含むことができる。この直接交換媒体２２０の形式は一般に、直接接触式熱交換プロセスを提供し、コイル式熱交換器と比べて熱抵抗を最小限にすることができる。更に、直接交換媒体２２０のこの実施形態は、限定ではないが、ナイロン、プラスチック、炭素繊維、セルロース材料、合成ポリマー、金属、又はこれらの組み合わせなどの波形の交差溝材料から製作することができる。この利点は、一般にコイル式熱交換器を形成するのに用いられる比較的高価な銅管体及びアルミニウムフィンの必要性を排除することができる。直接交換媒体２２０の実施形態は、熱交換器区域を形成するのに使用される材料の量及びタイプを低減することができ、結果として有意なコスト及び重量の低減をもたらすことができる。
【００２５】
モジュール２０５はまた、ミスト分離器２２５を含むことができる。ミスト分離器２２５は、一般に、非媒体調節システム２３０及び／又は媒体調節システム２６０の作動に起因して、空気流内に同伴できる流体の一部を除去する役割を果たす。図２に示すように、モジュール２０５の一実施形態は、ミスト分離器２２５を非媒体調節システム２３０及び／又は媒体調節システム２６０の下流側に配置している。
【００２６】
図２はまた、単一の吸気システム１００内にＡＣＳ２００の複数のモジュール２０５をどのように一体化できるかを示している。図２は、３つの独立した非媒体調節システム２３０がヘッダー２７５から非チル流体の共通供給源及び共通収集タンク２５０をどのように有することができるかを示している。図２はまた、３つの独立した媒体調節システム２６０がまた、どのようにヘッダー２７５からのチル流体の共通供給源及び流体リターン２４５を有し、非媒体調節システム２３０と収集タンク２５０を全て共有することができるかを示している。
【００２７】
図３は、本発明の一実施形態による、空気調節システム２００の概略図である。図３は、モジュール２０５内に位置付けることができないものを含む、ＡＣＳ２００の構成部品を示している。以下で説明するように、これらの構成部品は、第１の調節回路２５５、及び／又は第２の調節回路２８０の一部とすることができる。第１の調節回路２５５は、直接蒸発冷却モードでのＡＣＳ２００の動作を示すことができる。ここで、第１の調節回路は、非チル流体供給源２４０、非媒体調節システム２３０、媒体調節システム２６０、収集タンク２５０、ポンプ２７０に接続することができる流体リターン２４５、三方バルブを含むことができる第１のバルブ２９０、及び第３のバルブ３００を備えることができる。第１の調節回路２５５はまた、補充流体供給源３０５及び補充供給バルブ３１０を含むことができ、これらは、蒸発プロセス中に消費された流体の第１の調節回路２５５を補充するよう総合的に動作することができる。
【００２８】
第２の調節回路２８０は、直接チルモードのＡＣＳ２００動作を示すことができる。第２の調節回路２８０は、チル流体供給源２６５、非媒体調節システム２３０、媒体調節システム２６０、収集タンク２５０、流体リターン２４５、ポンプ２７０、第１のバルブ２９０、第２のバルブ２９５、及び第３のバルブ３００を備えることができる。
【００２９】
使用時には、ＡＣＳ２００は、少なくとも２つの動作モード、すなわち、主として第１の調節回路２５５を使用できる蒸発冷却モードと、主として第２の調節回路２８０を使用できるチルモードとを含むことができる。上述のように、ＡＣＳ２００の一実施形態は、蒸発システムモード又はチルシステムモードの何れかで動作する融通性を提供することができる。ここで、非媒体調節システム２３０に供給される流体が、露点温度よりも高い場合、ＡＣＳ２００は、蒸発冷却システムとして機能することができる。同様に、非媒体調節システム２３０に供給される流体が、露点温度よりも低い場合、ＡＣＳ２００は、チルシステムとして機能することができる。
【００３０】
以下の考察では、ＡＣＳ２００の一実施形態の作動上の要約を提供する。蒸発冷却モードでのＡＣＳ２００の作動は、以下の非限定的なステップを含むことができる。非媒体調節システム２３０及び媒体調節システム２６０は、その一部がモジュール２０５内に存在することができ、非チル流体供給源２４０から供給することができる流体をヘッダー２７５からほぼ同時に受け取ることができる。次に、空気流がモジュール２０５を通って流れると、噴射ノズル２３５は、流体内の空気流を噴射することができる。次いで、空気流が下流側に流れると、媒体調節システム２６０は、直接交換媒体２２０を通して現在流れている空気流に対し流体を直接分配することができる。次に、流体の一部は、収集タンク２５０に排出することができる。
【００３１】
続いて、流体リターン２４５は、収集タンク２５０内の流体の一部をポンプ２７０の入口に送給することができる。更に、補充流体供給源３０５及び補充供給バルブ３１０は、ポンプ２７０の入口に補充流体を供給するよう動作することができる。次に、ポンプ２７０の出口は、第１のバルブ２９０に向けて流体を移動させることができる。三方バルブの形態では、第１のバルブ２９０は、ポンプ２７０からの流体を第１の調節回路２５５内に流すことができるようにすることができる。
【００３２】
非媒体調節システム２３０及び直接交換媒体２２０により空気流が流れた後、空気流は、下流のミスト分離器２２５に流れることができる。並行して、補充流体供給源３０５は、補充供給バルブ３１０を介して補充流体を第１の調節回路２５５に提供することができる。上述のように、補充流体は一般に、蒸発プロセス中に消費した流体を補充するよう機能する。
【００３３】
本発明の一実施形態において、第３のバルブ３００を用いて、ＡＣＳ２００を分離することができる。ここで、第３のバルブ３００は、ＡＣＳ２００が作動状態でない場合に閉鎖することができる。
【００３４】
チルモードの動作は、以下の非限定的なステップを含むことができる。非媒体調節システム２３０及び媒体調節システム２６０は、その一部がモジュール２０５内に存在することができ、チル流体供給源２６５から供給することができる流体をヘッダー２７５からほぼ同時に受け取ることができる。次に、空気流がモジュール２０５を通って流れると、噴射ノズル２３５は、流体内の空気流を噴射することができる。次いで、媒体調節システム２６０は、直接交換媒体２２０を通して流れている空気流に流体を連結させることができる。次に、流体の一部は、収集タンク２５０に排出することができる。次いで、流体リターン２４５は、収集タンク２５０内の流体の一部をポンプ２７０の入口に送給することができる。次に、ポンプ２７０の出口は、第１のバルブ２９０に向けて流体を移動させることができる。ここで、第１のバルブ２９０は、ポンプ２７０からの流体を第２の調節回路２８０内に流すことができるようにすることができる。供給源２８５はまた、追加の流体が必要とされる場合、第２の調節回路２８５に流体を提供することができる。供給源２８５は、必要な流量及び圧力の流体を送給できるあらゆる供給装置を備えることができる。例えば、限定ではないが、供給源２８５は、蓄熱システム、貯蔵タンク、冷却流体システム、又は同様のものの少なくとも１つを備えることができる。直接交換媒体２２０により空気流が流れた後、空気流は、下流のミスト分離器２２５に流れることができる。
【００３５】
本発明の一実施形態において、ノズルを通って流れる流体の流量は、ＡＣＳ２００の構成部品に対する清浄機能を実施するために増大させることができる。この機能は、ＡＣＳ２００の作動効率及び効果を維持するのを助けることができる。例えば、限定ではないが、清浄機能は、直接交換媒体２２０を清浄することができる。
【００３６】
図４は、本発明の代替の実施形態による、図２のモジュール２０５の代替の実施形態の概略立面図である。本質的に、この代替の実施形態は、モジュール２０５内の複数の調節ゾーンを含む。各ゾーンは、モジュール２０５の他の何れかのゾーンとは無関係に空気流を調節するよう構成することができる。これにより、空気流の多段調節を可能にすることができる。
【００３７】
図４は、モジュール２０５の代替の実施形態の非限定的な実施例を示している。この実施例は、２つのゾーンを含むモデル２０５を提供する。この代替の実施形態の他の構成は、２つよりも多いゾーンを含み、２つよりも多い段の空気流調節を提供することができる。
【００３８】
図４に示すように、モジュール２０５は、第１の段４０５及び第２の段４１０を含む。第１及び第２の段４０５、４１０は各々、上述のように非媒体調節システム２３０及び媒体調節システム２６０の同様の構成部品を含むことができる。第２の段４１０はまた、ヘッダー４１５、流体リターン４２０、及び収集タンク４２５を含むことができる。これらの構成部品は、第１の段４０５のヘッダー２７５、流体リターン２４５、及び収集タンク２５０と同様に作動することができる。
【００３９】
本発明の代替の実施形態では、異なる流体が空気流を調節することができる。例えば、限定ではないが、第１の流体は第１の段４０５内で用いることができ、第２の流体は、第２の段４１０内で用いることができる。ここで第１の流体は水、液体乾燥剤、又はこれらの組み合わせのうちの少なくとも１つを含むことができる。同様に、第２の流体は、水、液体乾燥剤、又はこれらの組み合わせのうちの少なくとも１つを含むことができる。
【００４０】
この代替の実施形態では、ユーザは、第１の温度で第１の流体を使用し、第２の温度では第２の流体を使用してＡＣＳ２００を作動させることができる。この代替の実施形態はまた、第１の流体及び第２の流体が異なることを許容することができる。例えば、限定ではないが、第１の流体は水とすることができ、第２の流体は液体乾燥剤とすることができる。この組み合わせは、空気流の所望の温度制御を可能にすることができる。この組み合わせはまた、空気流の水分含量及び相対湿度を低下させることができる。
【００４１】
上述のように、本発明の実施形態は、ユーザに複数の恩恵並びに公知のシステムよりも優れた利点をもたらす。本発明の実施形態は、空気調節システム２００での直接交換媒体２２０利用におけるより広範な応用及び利用を可能にすることができる。温度レベルに応じて、空気流の調節は、ａ）流体温度が空気流の湿球温度以上である純粋蒸発温度、又は、ｂ）流体温度が空気流の湿球温度よりも実質的に低いチルプロセスを介して行うことができる。本発明の実施形態は、流体の温度を規制することにより調節範囲を制御する柔軟性をもたせることができる。
【００４２】
本発明の一実施形態は、発電中に直接蒸発冷却及び直接チルの選択肢を与えることにより、ガスタービンの動作上の経済的側面に更に柔軟性を付加することができる。本発明の一実施形態は、公知のチラーコイルユニットに比べたコスト効果の向上、パッケージングコストの低減、圧力低下の縮小、及び他の構造上の恩恵を提供することができる。
【００４３】
本発明はその幾つかの例示的な実施形態についてのみ詳細に図示し説明してきたが、本発明の新規な教示及び利点から実質的に逸脱することなく、特に前述の教示に照らして開示した実施形態に対して、様々な変更、省略及び付加を行うことができるので、本発明をこれらの実施形態に限定することを意図するものではないことを当業者には理解されたい。従って、提出した請求項により定められる本発明の技術的思想及び範囲内に含めることができる全てのこのような変更、省略、付加及び均等物が保護されるものとする。
【符号の説明】
【００４４】
１００  吸気システム
１０５  気象フード
１１０  入口フィルタハウス
１２０  トランジションピース
１２５  入口ダクト
１３０  消音セクション
１３５  入口ブリード熱
１４０  トラッシュスクリーン
１４５  圧縮機
２００  空気調節システム
２０５  モジュール
２２０  直接交換媒体
２２５  ミスト分離器
２３０  非媒体調節システム
２３５  噴射ノズル
２４０  非チル流体供給源
２４５  流体リターン
２５０  収集タンク
２５５  第１の調節回路
２６０  媒体調節システム
２６５  チル流体供給源
２７０  ポンプ
２７５  ヘッダー
２８０  第２の調節回路
２８５  チル流体供給源
２９０  第１のバルブ
２９５  第２のバルブ
３００  第３のバルブ
３０５  補充流体供給源
３１０  補充流体供給バルブ
４０５  第１の段
４１０  第２の段
４１５  ヘッダー
４２０  流体リターン
４２５  収集タンク
【図１】
2011038523.tif 000003
【図２】
2011038523.tif 000004
【図３】
2011038523.tif 000005
【図４】
2011038523.tif 000006